(57)【要約】【課題】日射遮蔽材の下降操作時にボトムレールの下降速度を減速させることができる日射遮蔽装置の遮蔽材昇降装置を提供する。【解決手段】日射遮蔽材の遮蔽材昇降装置は、ヘッドボックスから昇降コード１０を引き出すことによりヘッドボックスから吊り下げ支持されるスラットを上昇操作可能とし、スラット及びボトムレールの自重によって昇降コード１０をヘッドボックスに引き込ませることによりスラットを下降操作可能とした。ヘッドボックスには、昇降コード１０の変位に伴い回動するとともに、昇降コード１０の変位時に昇降コード１０の変位速度を減速させるオイルダンパー２０ａを搭載したオイルダンパー内蔵滑車２０を各昇降コード１０に対応させてそれぞれ備える。【選択図】図３
2010150855.tif 000002
【特許請求の範囲】
【請求項１】
ヘッドボックスから昇降コードを引き出すことにより同ヘッドボックスから吊り下げ支持される日射遮蔽材を上昇操作可能とし、同日射遮蔽材及びボトムレールの自重によって同昇降コードを同ヘッドボックスに引き込ませることにより同日射遮蔽材を下降操作可能とする日射遮蔽装置の遮蔽材昇降装置において、
前記ヘッドボックスには、前記昇降コードの変位に伴い回動するとともに、同昇降コードの変位時に同昇降コードの変位速度を減速させる減速機構を搭載した滑車を各前記昇降コードに対応させてそれぞれ備える
ことを特徴とする日射遮蔽装置の遮蔽材昇降装置。
【請求項２】
請求項１に記載の日射遮蔽装置の遮蔽材昇降装置において、
前記減速機構は前記滑車に内蔵されるオイルダンパーであって、前記昇降コードの変位によって同滑車が回動すると、同オイルダンパーによって回動が抑制される
ことを特徴とする日射遮蔽装置の遮蔽材昇降装置。
【請求項３】
請求項１又は２に記載の日射遮蔽装置の遮蔽材昇降装置において、
前記滑車の軸にはワンウェイクラッチが設けられ、前記昇降コードが前記日射遮蔽材の下降する方向へ変位する際には前記滑車の軸を固定状態とし、同昇降コードが前記日射遮蔽材の上昇する方向へ変位する際には前記滑車の軸を回動可能状態とする
ことを特徴とする日射遮蔽装置の遮蔽材昇降装置。
【請求項４】
請求項１〜３のいずれか一項に記載の日射遮蔽装置の遮蔽材昇降装置において、
前記滑車の上方には、前記滑車と協動して前記昇降コードを狭圧して案内する狭圧滑車が設けられる
ことを特徴とする日射遮蔽装置の遮蔽材昇降装置。
【請求項５】
請求項１〜４のいずれか一項に記載の日射遮蔽装置の遮蔽材昇降装置において、
前記滑車の外周面には、ローレット加工が施される
ことを特徴とする日射遮蔽装置の遮蔽材昇降装置。
【請求項６】
請求項１〜５のいずれか一項に記載の日射遮蔽装置の遮蔽材昇降装置において、
前記ヘッドボックスには、前記昇降コードの変位を許容して前記日射遮蔽材の上昇操作及び下降操作が可能な操作可能状態と、同昇降コードの変位を規制して前記日射遮蔽材の自重による下降を阻止する自重降下防止状態とのいずれかを選択可能とした自重降下防止装置を備える
ことを特徴とする日射遮蔽装置の遮蔽材昇降装置。
【請求項７】
日射遮蔽材を昇降する昇降コードに対応してヘッドボックスに設けられ、前記ヘッドボックスに沿って案内される昇降コードを垂直に転向させる滑車を備えた日射遮蔽材の支持装置において、
前記滑車に減速機構を備える
ことを特徴とする日射遮蔽材の支持装置。
【請求項８】
請求項７に記載の日射遮蔽材の支持装置において、
前記減速機構は前記滑車に内蔵されるオイルダンパーであり、前記昇降コードの変位によって同滑車が回動すると、同オイルダンパーによって回動が抑制される
ことを特徴とする日射遮蔽材の支持装置。
【請求項９】
請求項７又は８に記載の日射遮蔽材の支持装置において、
前記日射遮蔽材としてのスラットを転向させるドラムを前記支持装置に回動可能に設ける
ことを特徴とする日射遮蔽材の支持装置。
【発明の詳細な説明】
【技術分野】
【０００１】
この発明は、横型ブラインドやプリーツカーテン等の日射遮蔽装置において、スラットやカーテン生地等の日射遮蔽材を昇降する遮蔽材昇降装置及び日射遮蔽材の支持装置に関する。
【背景技術】
【０００２】
横型ブラインドのスラットの角度調節操作及び昇降操作を行う操作装置の一種類として、ヘッドボックスの一端部からスラットの角度調節操作を行うための操作棒が垂下され、ヘッドボックスから操作棒内を貫通させて昇降コードを垂下したものがある。
【０００３】
このような横型ブラインドでは、操作棒を回転操作することにより、ヘッドボックス内に配設される角度調節装置及びラダーコードを介してスラットが回動される。また、ヘッドボックスから操作棒を経て昇降コードを引き出すことによりボトムレール及びスラットが引き上げられ、引き出された昇降コードをヘッドボックスに引き込ませることによりボトムレール及びスラットが下降されるようになっている（例えば、特許文献１参照）。
【０００４】
ヘッドボックス内にはボトムレール及び日射遮蔽材としてのスラットの自重降下を防止する自重降下防止装置が設けられている。この自重降下防止装置は、昇降コードを引き出した後に手放したとき、昇降コードのヘッドボックスへの引き込みを阻止してボトムレール及びスラットの自重降下を阻止するロック状態となり、この状態から昇降コードを僅かに引き出せば、ロック状態を解除してボトムレール及びスラットの下降操作を可能とするものである。なお、ロック状態から昇降コードを引き出してボトムレール及びスラットの引き上げ操作を行うことも可能である。
【特許文献１】特許第３４７９０３８号公報
【特許文献２】特許第２７１３５２２号公報
【発明の開示】
【発明が解決しようとする課題】
【０００５】
上記のような自重降下防止装置を備えた横型ブラインドの操作装置では、自重降下防止装置のロック状態を解除した状態で誤って昇降コードを手放すと、ボトムレールが下限位置まで勢いよく落下して騒音を発生させることがある。また、ボトムレールの下限位置近傍に配置された家財道具等に衝突して、耳障りな衝突音を発生させることもある。さらには、前記家財道具等の物品を破損させたり傷を付けたりするおそれもある。
【０００６】
特許文献２には、操作棒から昇降コードを引き出すためのコードイコライザとして機能する把持棒内に昇降コードを緊張するためのコイルスプリングを備えた日射遮蔽材昇降装置が開示されている。しかし、このコイルスプリングはボトムレールの下限停止位置で昇降コードを緊張させるものであり、日射遮蔽材の下降操作時にボトムレールの下降速度を減速するものではない。
【０００７】
また、横型ブラインドに限らず、プリーツカーテン等の日射遮蔽装置においても日射遮蔽材の下降操作時には、ボトムレールが下限位置まで勢いよく落下して騒音を発生させるおそれがあり、同様の問題がある。
【０００８】
この発明の目的は、日射遮蔽材の下降操作時にボトムレールの下降速度を減速させることができる日射遮蔽装置の遮蔽材昇降装置及び日射遮蔽材の支持装置を提供することにある。
【課題を解決するための手段】
【０００９】
以下、上記目的を達成するための手段及びその作用効果について説明する。
請求項１に記載の発明は、ヘッドボックスから昇降コードを引き出すことにより同ヘッドボックスから吊り下げ支持される日射遮蔽材を上昇操作可能とし、同日射遮蔽材及びボトムレールの自重によって同昇降コードを同ヘッドボックスに引き込ませることにより同日射遮蔽材を下降操作可能とする日射遮蔽装置の遮蔽材昇降装置において、前記ヘッドボックスには、前記昇降コードの変位に伴い回動するとともに、同昇降コードの変位時に同昇降コードの変位速度を減速させる減速機構を搭載した滑車を各前記昇降コードに対応させてそれぞれ備えることをその要旨としている。
【００１０】
同構成によれば、日射遮蔽材の下降操作時に昇降コードが変位可能に支持される滑車に搭載された減速機構によって日射遮蔽材の下降に伴い加速度的に上昇するボトムレールの変位速度を減速させることができる。また、各昇降コードに対応させてそれぞれに備えたため、１つの装置で全ての昇降コードの減速を行う場合に比べて装置の大きさを小さくすることができるとともに、各装置への負荷を小さくすることができる。
【００１１】
請求項２に記載の発明は、請求項１に記載の日射遮蔽装置の遮蔽材昇降装置において、前記減速機構は前記滑車に内蔵されるオイルダンパーであって、前記昇降コードの変位によって同滑車が回動すると、同オイルダンパーによって回動が抑制されることをその要旨としている。
【００１２】
同構成によれば、減速機構が滑車に内蔵されるオイルダンパーであって、昇降コードの変位によって同滑車が回動すると、オイルダンパーによって滑車の回動が抑制される。このため、日射遮蔽材の下降に伴い変位速度が加速度的に上昇するところ、昇降コードの変位が抑制されることにより、日射遮蔽材の下降操作時のボトムレールの変位速度を減速させることができる。
【００１３】
請求項３に記載の発明は、請求項１又は２に記載の日射遮蔽装置の遮蔽材昇降装置において、前記滑車の軸にはワンウェイクラッチが設けられ、前記昇降コードが前記日射遮蔽材の下降する方向へ変位する際には前記滑車の軸を固定状態とし、同昇降コードが前記日射遮蔽材の上昇する方向へ変位する際には前記滑車の軸を回動可能状態とすることをその要旨としている。
【００１４】
同構成によれば、昇降コードが日射遮蔽材の下降する方向へ変位する際には固定し、同昇降コードが日射遮蔽材の上昇する方向へ変位する際には回動可能とするワンウェイクラッチを滑車の軸に設ける。このため、日射遮蔽材及びボトムレールの自重によって下降する下降操作時には減速機構を機能させることで、ボトムレールの変位速度を減速させることができる。また、使用者が操作する日射遮蔽材の上昇操作時には減速機構を機能させないことで、負荷が掛からずに使用者が操作できるとともに、昇降コードが急激に引っ張り操作された際にオイルダンパーに負荷を掛けることを抑制することができる。
【００１５】
請求項４に記載の発明は、請求項１〜３のいずれか一項に記載の日射遮蔽装置の遮蔽材昇降装置において、前記滑車の上方には、前記滑車と協動して前記昇降コードを狭圧して案内する狭圧滑車が設けられることをその要旨としている。
【００１６】
同構成によれば、滑車の上方には、滑車と協動して昇降コードを狭圧して案内する狭圧滑車が設けられるため、昇降コードを滑車に確実に接触させることができ、昇降コードと滑車との接触抵抗が大きくなり、昇降コードの変位と滑車とを確実に同期させ、減速機構による減速をより確実に伝達させることができる。
【００１７】
請求項５に記載の発明は、請求項１〜４のいずれか一項に記載の日射遮蔽装置の遮蔽材昇降装置において、前記滑車の外周面には、ローレット加工が施されることをその要旨としている。
【００１８】
同構成によれば、滑車の外周面にはローレット加工が施されるため、昇降コードと滑車との接触抵抗が大きくなり、昇降コードの変位と滑車とを確実に同期させ、減速機構による減速をより確実に伝達させることができる。
【００１９】
例えば、請求項６に記載の発明のように、日射遮蔽材の上昇操作及び下降操作が可能な操作可能状態と、日射遮蔽材及びボトムレールの自重による下降を阻止する自重降下防止状態とのいずれかを選択可能とした自重降下防止装置を備えた日射遮蔽装置の遮蔽材昇降装置に適用してもよい。
【００２０】
請求項７に記載の発明は、日射遮蔽材を昇降する昇降コードに対応してヘッドボックスに設けられ、前記ヘッドボックスに沿って案内される昇降コードを垂直に転向させる滑車を備えた日射遮蔽材の支持装置において、前記滑車に減速機構を備えることを要旨としている。
【００２１】
同構成によれば、日射遮蔽材の下降操作時に昇降コードが変位可能に支持される滑車に搭載された減速機構によって日射遮蔽材の下降に伴い加速度的に上昇するボトムレールの変位速度を減速させることができる。
【００２２】
請求項８に記載の発明は、請求項７に記載の日射遮蔽材の支持装置において、減速機構は前記滑車に内蔵されるオイルダンパーであり、前記昇降コードの変位によって同滑車が回動すると、同オイルダンパーによって回動が抑制されることを要旨としている。
【００２３】
同構成によれば、減速機構が滑車に内蔵されるオイルダンパーであって、昇降コードの変位によって同滑車が回動すると、オイルダンパーによって滑車の回動が抑制される。このため、日射遮蔽材の下降に伴い変位速度が加速度的に上昇するところ、昇降コードの変位が抑制されることにより、日射遮蔽材の下降操作時のボトムレールの変位速度を減速させることができる。
【００２４】
例えば、請求項９に記載の発明のように、前記日射遮蔽材としてのスラットを転向させるドラムを前記支持装置に回動可能に設けた日射遮蔽装置の遮蔽材昇降装置に適用してもよい。
【発明の効果】
【００２５】
本発明によれば、ボトムレールの下降操作時にボトムレールの下降速度を減速させることができる日射遮蔽装置の遮蔽材昇降装置及び日射遮蔽材の支持装置を提供することができる。
【発明を実施するための最良の形態】
【００２６】
以下、本発明にかかる日射遮蔽装置を横型ブラインドに具体化した一実施形態について図１〜図４を参照して説明する。
図１及び図２に示されるように、横型ブラインドは、ヘッドボックス１から複数本のラダーコード２を介して多数段のスラット３が吊り下げ支持され、同ラダーコード２の下端にはボトムレール４が吊り下げ支持されている。なお、多数段のスラット３が日射遮蔽材として機能する。
【００２７】
ヘッドボックス１内には支持装置５が各ラダーコード２に対応して複数個配設され、その支持装置５にはドラム６が回転可能に支持される。ラダーコード２の上端部は、ドラム６に取着され、そのドラム６の中心部には角度調節軸７が嵌挿されている。
【００２８】
従って、角度調節軸７が回転されると、ドラム６が回転され、そのドラム６の回転にともなってラダーコード２の一方が引上げられることにより、各スラット３が同位相で角度調節される。
【００２９】
ヘッドボックス１の一端部には操作棒８が吊り下げ支持されている。操作棒８を回転操作すると、ヘッドボックス１内に配設される図示しないギヤボックスを介して角度調節軸７が回転される。従って、操作棒８の回転操作により、各スラット３を角度調節可能となっている。
【００３０】
スラット３には複数本の昇降コード１０が各ラダーコード２に対応して挿通され、その昇降コード１０の一端はボトムレール４に取着される。すなわち、各支持装置５は各昇降コード１０にも対応して配設されている。図３に示されるように、昇降コード１０の他端は支持装置５のオイルダンパー内蔵滑車２０を経て、ヘッドボックス１の一端部に配設される自重降下防止装置１１に案内される。
【００３１】
図１に示されるように、昇降コード１０は、その自重降下防止装置１１から前記ギヤボックスを経て、操作棒８内に挿通され、その先端はコードイコライザ１３に接続される。
従って、図１に二点鎖線で示されるように、コードイコライザ１３を下方へ引いて、ヘッドボックス１から昇降コード１０を引き出すと、ボトムレール４が引き上げられることにより、スラット３が引き上げられる。
【００３２】
そして、昇降コード１０の引き出し操作を停止して、昇降コード１０を手放せば、自重降下防止装置１１が作動して、ストッパーカム１２が昇降コード１０に噛合し、スラット３及びボトムレール４の自重降下が防止される。
【００３３】
また、自重降下防止装置１１が作動している状態から、昇降コード１０を下方へ僅かに引くと、ストッパーカム１２の昇降コード１０への噛合が解除し、自重降下防止装置１１の作動が解除されて、スラット３及びボトムレール４をその自重により下降操作可能となっている。
【００３４】
次に、支持装置５について図３及び図４を参照して詳しく説明する。
図３に示されるように、支持装置５には、昇降コード１０を下方から自重降下防止装置１１へ案内するオイルダンパー内蔵滑車２０と、昇降コード１０を上下方向においてオイルダンパー内蔵滑車２０と協動して昇降コード１０を狭圧して案内する狭圧滑車２３とを備えている。オイルダンパー内蔵滑車２０は、減速機構としてのオイルダンパー２０ａが内蔵された滑車であって、外周面にローレット加工が施されている。オイルダンパー内蔵滑車２０は、軸２１が固定された状態で回動力が加えられると内部に充填された粘性の高いオイルにより回動力に抗して自身の回動を抑制する滑車である。昇降コード１０は狭圧滑車２３によってオイルダンパー内蔵滑車２０に押し当てられ確実に接触させるため、昇降コード１０とオイルダンパー内蔵滑車２０との動きを同期させることができる。
【００３５】
図４に示されるように、支持装置５には、前述のオイルダンパー内蔵滑車２０と他の昇降コード１０を案内する案内滑車２４の２つがヘッドボックス１の短手方向に並んで配置されている。詳しくは、左側の支持装置５は奥側がオイルダンパー内蔵滑車２０で、手前側が案内滑車２４となっており、中央と右側の支持装置５は手前側がオイルダンパー内蔵滑車２０で、奥側が案内滑車２４となっている。各支持装置５を介して案内された各昇降コード１０は、自重降下防止装置１１に案内される。
【００３６】
オイルダンパー内蔵滑車２０の軸２１の一端は、支持装置５に固設されたワンウェイクラッチ２２によって軸支されている（図４中の梨地模様部分）。このワンウェイクラッチ２２は、昇降コード１０が支持装置５の下方へ変位する際にはオイルダンパー内蔵滑車２０の軸２１を回動できないロック状態とし、昇降コード１０が支持装置５の下方から支持装置５へ変位する際にはオイルダンパー内蔵滑車２０の軸２１を回動可能なアンロック状態とする。オイルダンパー内蔵滑車２０の軸２１の他端は、回動可能に支持装置５に軸支されている。なお、こちらの軸２１もワンウェイクラッチ２２によって軸支するようにしてもよい。
【００３７】
すなわち、スラット３を下降操作する際にスラット３の自重により昇降コード１０が支持装置５の下方へ変位すると、オイルダンパー内蔵滑車２０の軸２１はワンウェイクラッチによって固定されているため、オイルダンパー内蔵滑車２０が昇降コード１０の変位に抵抗を与え、昇降コード１０の変位が抑制される。よって、スラット３の下降操作時にスラット３の自重によって加速度的に上昇する変位速度を減速させることができる。
【００３８】
一方、スラット３を上昇操作する際に使用者が昇降コード１０を支持装置５の下方から支持装置５へ変位させると、オイルダンパー内蔵滑車２０の軸２１はワンウェイクラッチによって固定されておらず回動可能なため、昇降コード１０の変位に対してオイルダンパー内蔵滑車２０が同期して回動し、昇降コード１０に対する使用者の操作がそのまま伝達されることとなる。よって、スラット３の上昇操作時に使用者に負荷をかけずに操作することができる。
【００３９】
以上、説明した実施形態によれば、以下の作用効果を奏することができる。
（１）スラット３の下降操作時に昇降コード１０が変位可能に支持される滑車に搭載された減速機構によってスラット３の下降に伴い加速度的に上昇するボトムレール４の変位速度を減速させることができる。また、各昇降コード１０に対応させてそれぞれに備えたため、１つの装置で全ての昇降コード１０の減速を行う場合に比べて装置の大きさを小さくすることができるとともに、各装置への負荷を小さくすることができる。
【００４０】
（２）減速機構がオイルダンパー２０ａであって、昇降コード１０の変位によってオイルダンパー内蔵滑車２０が回動すると、オイルダンパー２０ａによって滑車の回動が抑制される。このため、スラット３の下降に伴い変位速度が加速度的に上昇するところ、昇降コード１０の変位が抑制されることにより、スラット３の下降操作時のボトムレール４の変位速度を減速させることができる。
【００４１】
（３）昇降コード１０がスラット３の下降する方向へ変位する際には固定し、同昇降コード１０がスラット３の上昇する方向へ変位する際には回動可能とするワンウェイクラッチ２２をオイルダンパー内蔵滑車２０の軸２１に設ける。このため、スラット３及びボトムレール４の自重によって下降する下降操作時にはオイルダンパー２０ａを機能させることで、ボトムレール４の変位速度を減速させることができる。また、使用者が操作するスラット３の上昇操作時にはオイルダンパー２０ａを機能させないことで、負荷が掛からずに使用者が操作できるとともに、昇降コード１０が急激に引っ張り操作された際にオイルダンパー２０ａに負荷を掛けることを抑制することができる。
【００４２】
（４）オイルダンパー内蔵滑車２０の上方には、オイルダンパー内蔵滑車２０と協動して昇降コード１０を狭圧して案内する狭圧滑車２３が設けられるため、昇降コード１０をオイルダンパー内蔵滑車２０に確実に接触させることができ、昇降コード１０とオイルダンパー内蔵滑車２０との接触抵抗が大きくなり、昇降コード１０の変位とオイルダンパー内蔵滑車２０とを確実に同期させ、減速機構による減速をより確実に伝達させることができる。
【００４３】
（５）オイルダンパー内蔵滑車２０の外周面にはローレット加工が施されるため、昇降コード１０とオイルダンパー内蔵滑車２０との接触抵抗が大きくなり、昇降コード１０の変位とオイルダンパー内蔵滑車２０とを確実に同期させ、減速機構による減速をより確実に伝達させることができる。
【００４４】
なお、上記実施形態は、これを適宜変更した以下の形態にて実施することができる。
・上記実施形態では、昇降コード１０の本数を複数本として３本としたが、２本や４本以上としてもよい。なお、昇降コード１０の本数に対応させて、支持装置５の個数も同一となる。
【００４５】
・図５及び図６に示されるように、操作コード３０の操作によりヘッドボックス３１内のギヤボックス及び駆動軸３２を介してラダーコード支持装置３３及び昇降コード巻取装置３４が駆動されてスラット３５の角度調節及び昇降可能である横型ブラインドに本発明を適用してもよい。詳しくは、昇降コード３６の張力がなくなると、ラチェット３８と凸部３９との係合によって昇降コード３６の巻き戻し方向の回転が阻止されるようになっている。昇降コード巻取装置３４の底辺には昇降コード３６を案内する案内滑車３７が回転可能に軸支されている。この案内滑車３７に、上記実施形態と同様にオイルダンパーを適用する。このようにすれば、ラチェット３８と凸部３９との係合が解除されてスラット３５の自重によって自重降下した際に、昇降コード３６の加速度的な変位速度の上昇を減速させることができる。なお、これらの横型ブラインドに限らず、昇降コードを滑車によって案内している遮蔽材昇降装置に本発明を適用してもよい。
【００４６】
・上記実施形態では、オイルダンパー内蔵滑車２０にローレット加工を施したが、昇降コード１０とオイルダンパー内蔵滑車２０との接触抵抗が十分得られるならば、ローレット加工を施さなくてもよい。
【００４７】
・上記実施形態では、オイルダンパー内蔵滑車２０の軸２１をワンウェイクラッチ２２によって軸支したが、スラット３の上昇操作時にオイルダンパー２０ａによる抵抗が掛かっても構わなければワンウェイクラッチ２２を設けず、オイルダンパー内蔵滑車２０の軸２１を固定するようにしてもよい。
【００４８】
・上記実施形態では、減速機構としてオイルダンパー２０ａを採用したが、オイルダンパー２０ａに限らず、ギヤによるもの等の他のものを採用してもよい。
・上記実施形態では、スラットを昇降する横型ブラインドに本発明を適用したが、これに限らず、カーテン生地等の日射遮蔽材を昇降するプリーツカーテン等の日射遮蔽装置に本発明を適用してもよい。
【図面の簡単な説明】
【００４９】
【図１】日射遮蔽装置の正面図。
【図２】日射遮蔽装置の側面図。
【図３】日射遮蔽装置の遮蔽材昇降装置の概略構成を示す構成図。
【図４】日射遮蔽装置の遮蔽材昇降装置の支持装置の概略構成を示す構成図。
【図５】日射遮蔽装置の正面図。
【図６】日射遮蔽装置の遮蔽材昇降装置の概略構成を示す構成図。
【符号の説明】
【００５０】
１…ヘッドボックス、２…ラダーコード、３…スラット、４…ボトムレール、５…支持装置、６…ドラム、７…角度調節軸、８…操作棒、１０…昇降コード、１１…自重降下防止装置、１２…ストッパーカム、１３…コードイコライザ、２０…オイルダンパー内蔵滑車、２０ａ…オイルダンパー、２１…軸、２２…ワンウェイクラッチ、２３…狭圧滑車、２４…案内滑車。
【図１】
2010150855.tif 000003
【図２】
2010150855.tif 000004
【図３】
2010150855.tif 000005
【図４】
2010150855.tif 000006
【図５】
2010150855.tif 000007
【図６】
2010150855.tif 000008